(57)【要約】【課題】ヘッドレストにかかる頭部の受け止め荷重をシートバックにおいて安定して支えられるようにする。【解決手段】着座者の頭部を支えるヘッドレストがシートバック１の上部に設置された車両のシート構造である。ヘッドレストは、その支柱となるステーが、シートバック１の骨格フレームに取り付けられた支持体１０に組み付けられて支持されている。支持体１０は、シートバック１の上縁部の骨格を成す幅方向に延びるアッパフレーム２と、アッパフレーム２の各端部との接合部から高さ方向に延びるシートバック１の両側部の骨格を成す各サイドフレーム３，３と、にそれぞれ固定されている。【選択図】図１
2009136483.tif 000002
【特許請求の範囲】
【請求項１】
着座者の頭部を支えるヘッドレストがシートバックの上部に設置された車両のシート構造であって、
前記ヘッドレストは、その支柱となるステーが前記シートバックの骨格フレームに取り付けられた支持体に組み付けられて支持されており、
該支持体は、前記シートバックの上縁部の骨格を成す幅方向に延びるアッパフレームと、該アッパフレームの各端部との接合部から高さ方向に延びる前記シートバックの両側部の骨格を成す各サイドフレームと、にそれぞれ固定されていることを特徴とする車両のシート構造。
【請求項２】
請求項１に記載の車両のシート構造であって、
前記支持体は、車両後突の発生時に前記ヘッドレストのステーを押し上げて該ヘッドレストを着座者の頭部に向けて前方かつ上方に移動させる構成となっていることを特徴とする車両のシート構造。
【請求項３】
請求項１又は請求項２に記載の車両のシート構造であって、
前記支持体は、前記シートバックのアッパフレームに対してはその前方側の面部と当接して接合されており、前記各サイドフレームに対してはそれらの後方側の面部と当接して接合されていることを特徴とする車両のシート構造。
【発明の詳細な説明】
【技術分野】
【０００１】
本発明は、車両のシート構造に関する。詳しくは、着座者の頭部を支えるヘッドレストがシートバックの上部に設置された車両のシート構造に関する。
【背景技術】
【０００２】
従来、車両のシート構造において、ヘッドレストのステーがシートバックの骨格を成すバックフレームのアッパフレームに対して支持されたものが知られている。ここで、下記特許文献１には、車両後突時にヘッドレストを着座者の頭部に向けて近接移動させる駆動ユニットが上述したアッパフレームに対して設置された技術が開示されている。この開示では、上述したヘッドレストを動作させる駆動ユニットが、薄板状の取付板を介してアッパフレームに吊り下げられる格好で組み付けられている。そして、この駆動ユニットには、ヘッドレストのステーが差し込まれて固定されており、駆動ユニットの作動によってステーが操作されることにより、ヘッドレストが動作するようになっている。
【特許文献１】特開２００５−３０４５６５号公報
【発明の開示】
【発明が解決しようとする課題】
【０００３】
しかし、上記開示の従来技術では、ヘッドレストも駆動ユニットも、実質的にはどちらもバックフレームのアッパフレームに対して支持されている。したがって、ヘッドレストに頭部の後傾に伴う大荷重が入力されると、アッパフレームにはこれを支点としたヘッドレストの後傾に伴う回転力が集中的に作用して大きな負荷がかかることとなる。
【０００４】
本発明は、上記した問題を解決するものとして創案されたものであって、本発明が解決しようとする課題は、ヘッドレストにかかる頭部の受け止め荷重をシートバックにおいて安定して支えられるようにすることにある。
【課題を解決するための手段】
【０００５】
上記課題を解決するために、本発明の車両のシート構造は次の手段をとる。
先ず、第１の発明は、着座者の頭部を支えるヘッドレストがシートバックの上部に設置された車両のシート構造である。ヘッドレストは、その支柱となるステーが、シートバックの骨格フレームに取り付けられた支持体に組み付けられて支持されている。支持体は、シートバックの上縁部の骨格を成す幅方向に延びるアッパフレームと、アッパフレームの各端部との接合部から高さ方向に延びるシートバックの両側部の骨格を成す各サイドフレームと、にそれぞれ固定されている。
この第１の発明によれば、支持体は、シートバックの骨格を成すアッパフレームと両サイドフレームとにそれぞれ固定されている。したがって、ヘッドレストに頭部の後傾に伴う荷重が入力されると、かかる荷重は、支持体を介してアッパフレームと両サイドフレームとに分散されて支持される。これにより、ヘッドレストにかかる頭部の受け止め荷重をシートバックにおいて安定して支えることができる。
【０００６】
次に、第２の発明は、上述した第１の発明において、支持体は、車両後突の発生時にヘッドレストのステーを押し上げてヘッドレストを着座者の頭部に向けて前方かつ上方に移動させる構成となっている。
この第２の発明によれば、ヘッドレストが車両後突の発生時に上方側に移動した高い位置で頭部の後傾荷重を受けると、アッパフレームにはこれを支点としたヘッドレストの後傾に伴う大きな回転力が作用する。しかし、この回転力は、ヘッドレストのステーを支える支持体を介して、アッパフレームと両サイドフレームとによって安定して支えられることとなる。
【０００７】
次に、第３の発明は、上述した第１又は第２の発明において、支持体は、シートバックのアッパフレームに対しては、その前方側の面部と当接して接合されている。そして、支持体は、各サイドフレームに対しては、それらの後方側の面部と当接して接合されている。
この第３の発明によれば、ヘッドレストに頭部の後傾荷重がかかると、アッパフレームには、支持体との接合部である前方側の面部を支点とした回転力が作用する。そして、この回転力により支持体のアッパフレームの下方側に張り出している部位が前方側に移動しようとする移動力は、支持体との当接面である各サイドフレームの後方側の面部によって受け止められる。すなわち、上述した回転力が、支持体との当接面であるアッパフレームの前方側の面部と、各サイドフレームの後方側の面部とによって、それぞれ回転力を受け止める方向に面当たりして受け止められる。これにより、ヘッドレストにかかる頭部の受け止め荷重をシートバックにおいてより安定して支えることができる。
【発明を実施するための最良の形態】
【０００８】
以下に、本発明を実施するための最良の形態の実施例について図面を用いて説明する。
【実施例１】
【０００９】
始めに、実施例１の車両のシート構造について、図１〜図３を用いて説明する。ここで、図１には、本実施例の車両のシート構造として、車両用シートの背凭れを構成するシートバック１の骨格構造が示されている。同図に示されるように、シートバック１の骨格フレームは、シートバック１の上縁部の骨格を成す幅方向に延びるアッパフレーム２と、シートバック１の両側部の骨格を成す高さ方向に延びるサイドフレーム３，３と、によって門型形状に形成されている。
【００１０】
詳しくは、アッパフレーム２は、円鋼管が逆Ｕ字型に折り曲げられて形成されている。そして、各サイドフレーム３，３は、鋼板によって形成されており、互いの板面を対向させるようにして、シートバック１の両側部にそれぞれ配置されている。これらサイドフレーム３，３は、それらの上端部が上述したアッパフレーム２の各端部の形状に即して半パイプ状に曲げられており、アッパフレーム２の各端部の外周面にあてがわれて溶接により一体的に剛結合されている。
【００１１】
そして、サイドフレーム３，３は、それらの下縁部が、鋼板からなる補強板４によって、互いに一体的に剛結合されている。これにより、シートバック１の骨格フレームが、アッパフレーム２と、両サイドフレーム３，３と、補強板４とによって、枠状に組まれて形成されている。そして、上述したアッパフレーム２には、シートバック１の上部に設置されたヘッドレスト（図示省略）を支える支持体１０が組み付けられている。
【００１２】
この支持体１０は、筒状のサポートホルダ１１，１１と、アッパフレーム２に吊り下げ状に固定されたベース板１２と、ベース板１２と一体的に固定された支持板１３と、サポートホルダ１１，１１をベース板１２に対して昇降移動可能に連結する昇降機構１４と、によって構成されている。詳しくは、サポートホルダ１１，１１は、図示は省略されているが、ヘッドレストに組み付けられた支柱となる二本のステーをそれぞれ差し込めるようになっており、このステーを介してヘッドレストを支持する構成となっている。
【００１３】
そして、ベース板１２は、図２に示されるように、その上縁部がアッパフレーム２の前方側の面部に溶接によって一体的に結合されて固定されている。詳しくは、ベース板１２のアッパフレーム２への溶接は、ベース板１２に縦方向に延びる長円状の突起を複数形成し、これら突起とアッパフレーム２との当接面に集中電流をあてて接合を行うプロジェクション溶接によって行われている。
【００１４】
そして、ベース板１２の前面部には、上述した二つのサポートホルダ１１，１１をそれぞれ筒内でスライドさせられるように支持する筒型のガイドホルダ１２Ａ，１２Ａが配設されている。これらガイドホルダ１２Ａ，１２Ａは、その縁部からフランジ状に延び出した板部がベース板１２の前面部にかしめられることにより、ベース板１２に一体的に固定されている。ここで、図３に示されるように、上述したベース板１２は、アッパフレーム２に対して、前傾姿勢となった状態で固定されている。
【００１５】
これにより、各ガイドホルダ１２Ａ，１２Ａは、それらの筒形状が前方かつ上方側に延びるように配置されており、各サポートホルダ１１，１１をその筒形状に沿って斜め方向に移動させるようになっている。そして、図２に戻って、ベース板１２は、その後面部が、両サイドフレーム３，３の間に掛け渡された幅方向に延びる支持板１３の前面部にかしめられて固定されている。ここで、支持板１３は、鋼板によって形成されており、図３に示されるように、その両端部が、各サイドフレーム３，３の後方側の面部にあてがわれて溶接によって一体的に結合固定されている。
【００１６】
そして、図２に戻って、ベース板１２の前面部には、上述した各サポートホルダ１１，１１を昇降移動させる昇降機構１４が設けられている。この昇降機構１４は、互いに噛合状態で設けられた第１ギア１４Ａ及び第２ギア１４Ｂと、サポートホルダ１１，１１同士を連結する連結板１４Ｃと、第１ギア１４Ａを回転附勢する引張バネ１４Ｄと、を有する。詳しくは、第１ギア１４Ａは、連結軸Ａｔによってベース板１２に回転可能に連結されている。そして、第２ギア１４Ｂは、連結軸Ｂｔによってベース板１２に回転可能に連結されている。
【００１７】
これら第１ギア１４Ａと第２ギア１４Ｂとは、互いの外周面に形成された外歯同士が噛合した状態とされており、その一方が回転する動きに連動して、他方も回転するようになっている。ここで、第１ギア１４Ａと支持板１３との間には、第１ギア１４Ａを図示反時計回り方向に回転附勢する引張バネ１４Ｄが掛着されている。これにより、第１ギア１４Ａ及び第２ギア１４Ｂは、常時は図示された回転位置状態に保持されている。
【００１８】
そして、上述した第１ギア１４Ａと第２ギア１４Ｂには、ピンＡｐ，Ｂｐがそれぞれ突出して配設されている。そして、各ピンＡｐ，Ｂｐは、連結板１４Ｃに形成された幅方向に延びる長孔Ａｈ，Ｂｈ内にそれぞれスライド可能に入り込んでいる。ここで、連結板１４Ｃは、その両端部が各サポートホルダ１１，１１と一体的に連結されている。そして、上述した第２ギア１４Ｂには、図１において後述する受圧機構２０に繋がれた操作ケーブル２２のインナーケーブル２２Ｂの上端部が繋がれている。
【００１９】
これにより、上記構成の昇降機構１４は、インナーケーブル２２Ｂが下方側から牽引操作される動きによって、第２ギア１４Ｂが図示反時計回りに回転操作され、これに同期的に連動して第１ギア１４Ａが図示時計回りに回転操作される。そしてこれにより、連結板１４Ｃが、第１ギア１４Ａ及び第２ギア１４Ｂの回転に伴う各ピンＡｐ，Ｂｐの上方移動によって押し上げられる。これにより、図３に示されるように、各サポートホルダ１１，１１が一体的となって、各ガイドホルダ１２Ａ，１２Ａの案内によって前方かつ上方側に押し出される。
【００２０】
そして、各サポートホルダ１１，１１の前方かつ上方側への移動によって、ヘッドレストが同方向に移動操作されて着座者の頭部に近接する。ところで、この昇降機構１４を作動操作するインナーケーブル２２Ｂの牽引操作は、図１に示されるように、シートバック１の下腹部に配置された受圧機構２０が車両後突発生時に押し操作されることで行われるようになっている。この昇降機構１４は、上述した補強板４にヒンジ連結された受圧板２１が、車両後突発生時に、着座者の背部がその弾みで後傾する荷重を受けることで後方側に押し動かされるようになっている。
【００２１】
そして、受圧板２１が後方側に押し動かされることで、この受圧板２１に繋がれた操作ケーブル２２の下端部が牽引操作される。ここで、操作ケーブル２２は、管状のアウターケーブル２２Ａの内部にワイヤー状のインナーケーブル２２Ｂが挿通された二重構造となっている。そして、アウターケーブル２２Ａの下端部は、補強板４と一体的とされた部材に固定されており、インナーケーブル２２Ｂの下端部は、受圧板２１の後方移動によって押し下げられる部材と連結されている。
【００２２】
これにより、操作ケーブル２２は、車両後突発生時に受圧板２１が後方側に押し動かされることで、インナーケーブル２２Ｂの下端部がアウターケーブル２２Ａの下端部から引き出される格好で牽引操作される。そして、図２に示されるように、アウターケーブル２２Ａの上端部は、支持板１３に固定されており、上述したインナーケーブル２２Ｂが下端側において牽引操作された操作力によって、インナーケーブル２２Ｂの上端部が図示下方側に引き込まれて第２ギア１４Ｂが回転操作されるようになっている。
【００２３】
このように、本実施例の車両のシート構造によれば、支持体１０は、シートバック１の骨格を成すアッパフレーム２と両サイドフレーム３，３とにそれぞれ接合されて固定されている。したがって、ヘッドレストに頭部の後傾に伴う荷重が入力されると、かかる荷重は、支持体１０を介してアッパフレーム２と両サイドフレーム３，３とに分散されて支持される。これにより、ヘッドレストにかかる頭部の受け止め荷重をシートバック１において安定して支えることができる。
【００２４】
また、ヘッドレストが車両後突の発生時に上方側に移動した高い位置で頭部の後傾荷重を受けると、アッパフレーム２にはこれを支点としたヘッドレストの後傾に伴う大きな回転力が作用する。詳しくは、アッパフレーム２には、支持体１０（ベース板１２）との接合部である前方側の面部を支点とした回転力が作用する。そして、この回転力によって支持体１０のアッパフレーム２の下方側に張り出している部位が前方側に移動しようとする移動力は、支持体１０（支持板１３）との当接面である各サイドフレーム３，３の後方側の面部によって受け止められる。
【００２５】
すなわち、上述した回転力が、支持体１０との当接面であるアッパフレーム２の前方側の面部と、各サイドフレーム３，３の後方側の面部とによって、それぞれ回転力を受け止める方向に面当たりして受け止められる。これにより、ヘッドレストにかかる頭部の受け止め荷重をシートバック１においてより安定して支えることができる。
【００２６】
以上、本発明の実施形態を１つの実施例によって説明したが、本発明は上記実施例のほか各種の形態で実施できるものである。例えば、支持体をシートバックのアッパフレームや各サイドフレームに対して固定する部材は、支持体とは別体的に構成された部材であっても構わない。また、支持体をアッパフレームや各サイドフレームに固定する手段として溶接による接合手段を示したが、組み付けや嵌合等の他の手段を用いて固定するようにしてもよい。
【００２７】
また、ヘッドレストが車両後突の発生時に頭部に向けて近接移動するタイプの構成を示したが、ヘッドレストが移動しないタイプの構成にも適用可能であることは言うまでもない。また、支持体のアッパフレームとの接合部と、各サイドフレームとの接合部との間の高さ方向の離間距離については特に述べなかったが、この高さ方向の距離が離れているほど、アッパフレームを支点として支持体が回転する回転力が好適に受け止められるため、ヘッドレストにかかる頭部の受け止め荷重をより安定して支えられるようになる。
【図面の簡単な説明】
【００２８】
【図１】実施例１の車両のシート構造を表した斜視図である。
【図２】支持体の連結構造を拡大して表した正面図である。
【図３】支持体の連結構造を拡大して表した側面図である。
【符号の説明】
【００２９】
１      シートバック
２      アッパフレーム
３      サイドフレーム
４      補強板
１０    支持体
１１    サポートホルダ
１２    ベース板
１２Ａ  ガイドホルダ
１３    支持板
１４    昇降機構
１４Ａ  第１ギア
Ａｔ    連結軸
Ａｐ    ピン
１４Ｂ  第２ギア
Ｂｔ    連結軸
Ｂｐ    ピン
１４Ｃ  連結板
Ａｈ，Ｂｈ  長孔
１４Ｄ  引張バネ
２０    受圧機構
２１    受圧板
２２    操作ケーブル
２２Ａ  アウターケーブル
２２Ｂ  インナーケーブル
【図１】
2009136483.tif 000003
【図２】
2009136483.tif 000004
【図３】
2009136483.tif 000005